(57)【要約】【課題】ウエットスーツの身体入出の開口部が狭くて着にくい体型でも、開口部を適宜調整する手段を課題とし解決することで、着やすく動きやすく防水性のあるウエットスーツの提供を目的とする。【解決手段】ウエットスーツ１のスライドファスナー７開閉部分を閉塞するように内側にインナーパネル４０を設け、脇下付近から肩まではウエットスーツ１の内面とインナーパネルの両側端のそれぞれに離着手段＝面ファスナー３・３１を設け、着用の際には、面ファスナー３・３１の脱着により開口部５の位置及び広さを調整可能にした。【選択図】図３
0003123698.tif 000002
【実用新案登録請求の範囲】
【請求項１】
身体全体を出し入れするために開口部５を上端に有するウエットスーツ１において、前記開口部５はウエットスーツ１の上方襟縁とウエットスーツ１の内側に設けたバックパネル４又はフロントパネルのインナーパネル４０とで形成され、前記インナーパネル４０は柔軟な伸縮性生地であって首通し孔６を設けたことを特徴とするウエットスーツ。
【請求項２】
身体全体を出し入れするために開口部５を上端に有するウエットスーツ１において、前側又は背中側に首部から腰部まで開閉自在のファスナー７を縫着し、前記開口部５はウエットスーツ１の上方襟縁とインナーパネル４０とで形成され、前記開口部５の下側から襟元部まで内側に略逆三角形のインナーパネル４０を設けそのインナーパネル４０は立襟６１を備えた首通し孔６を設けてさらに正面側の鎖骨付近まで或いは背面側の背骨付近まで連続して首回りパネル４４を延設していることを特徴とするウエットスーツ。
【請求項３】
ウエットスーツ１本体の内側に設けられたインナーパネル４０は、その両側端を腰部から脇下付近までウエットスーツ１と縫着或いは接合した縫着部４５とし、脇下付近から肩までは非縫着部としてウエットスーツの内面とインナーパネル４０のそれぞれに離着手段を設けて、身体全体を出し入れする際には、前記離着手段の脱着により開口の大きさが調整可能であることを特徴とするウエットスーツ。
【請求項４】
前記インナーパネル４０の脇下付近から肩までの離着手段は、ウエットスーツの内面とインナーパネル４０のそれぞれに面ファスナー３・３１を設けたものであることを特徴とする請求項１〜請求項３のいずれかに記載のウエットスーツ。
【請求項５】
前記面ファスナー３・３１の形状は、上下方向と左右方向の両方向に接合位置を変更できる幅を有する形状であることを特徴とする請求項１〜は請求項４のいずれかに記載のウエットスーツ。
【請求項６】
前記面ファスナー３・３１の形状は、上部を略半円とし下部を略長方形としたことを特徴とする請求項１〜は請求項５のいずれかに記載のウエットスーツ。
【考案の詳細な説明】
【技術分野】
【０００１】
本考案は、ウエットスーツへの身体の出し入れを容易にするために改良された開口部を有するウエットスーツに関する。
詳しくは身体全体を入出するための開口部を上端に有するウエットスーツに関する。
【背景技術】
【０００２】
従来のウエットスーツは、一般に前開き、背面開きの形態でスライドファスナーを設けて身体全体を出し入れするための開口部を設けている。
襟口からスライドファスナーを縫着して、このファスナーを開閉することにより、身体の出し入れを可能にしている。
【０００３】
また、近年ウエットスーツのなかへの浸水を防ぐために、スーツの内側にインナーパネル（内布）等を設けているものもある。
インナーパネルは、前開きのものはフロントパネル、背面開きのものはバックパネルとして、スライドファスナーで開く部分を内側から閉塞するようにウエットスーツの内側に縫着されている。
【０００４】
図８に示す従来のウエットスーツ１は、背中側開きスライドファスナー７を設けたもので、インナーパネル４０をその開閉部分内側に設けている。
ウエットスーツ１の上方襟縁とウエットスーツ１の内側に設けたインナーパネル４０とで上端に身体全体を出し入れするために開口部５を有する。
図において一点鎖線で示した楕円は、開口部５を形成することになる空間である。
図８のインナーパネル４０は、取付け位置からバックパネルという。
インナーパネル４０は、ウエットスーツ１の背中内側の生地に縫着している。インナーパネル４０の縫着箇所４２は図８において２重点線で示すように略Ｖ字状である。上端は肩付近まで及んで縫着されている。
縫着箇所４２は、インナーパネル４０の上縁以外の全部をウエットスーツ１の内側に縫着している。
着用時には、インナーパネル４０の上縁４１は、着用者の首回りに密着して浸水を防止する。
【０００５】
そのほか従来のウエットスーツには以下のようなものが開示されている。
図８に近似したインナーパネルの構成を有する。
【特許文献１】特許第３６９２２９７号特許公報
【０００６】
しかし、図８のような構造のウエットスーツは着脱の際、インナーパネル４０が身体の出し入れをスムーズにするのを妨げている場合が多かった。
つまり、身体全体を出し入れするために開口部５を上端に有するウエットスーツにおいては、前記開口部５はウエットスーツの上方襟縁とウエットスーツ１の内側に設けたバックパネルやフロントパネルであるインナーパネル４０とで形成されるが、ウエットスーツ生地及びインナーパネル４０は伸縮性に限界があり、又水の浸入を防止するものであるので、可及的に小さな開口部５を形成して身体の首付近に密着する要請があるために、インナーパネル４０の両側は腰部から肩部に至るまで深い略Ｖ字状の縫着箇所４２で縫着されていて防水し、開口のための上縁４１の幅は標準的必要限度の寸法で作成されている。
【０００７】
そのため、オーダーメイドでないウエットスーツでは、着用者の体型が少し太めであるとか、ヒップが大きいときは、その開口部５の開口径寸法が着用者に合わないことがある。
そのために、着にくいとか、脱ぎにくいというユーザーが生じるおそれがある。
【考案の開示】
【考案が解決しようとする課題】
【０００８】
本考案が解決しようとする課題は、上方から身体を入出するウエットスーツの着脱の際、浸水防止用のインナーパネル（内布：フロントパネル、バッグパネルの両方を含む意味）が作る開口部５から身体の出し入れが体型によってはスムーズにできない点をスムーズにする課題である。
その際に、浸水を防止することも課題である。
また、従来のウエットスーツには、ユーザーの体型に完全にフィットさせるためのインナーパネルの調整機能がないが、インナーパネルに調整機能を持たせる課題である。
【課題を解決するための手段】
【０００９】
本考案は、ウエットスーツの着脱の際に身体の出し入れがスムーズに行えるようにするために、浸水防止用のインナーパネルをスーツ本体内側に縫着する箇所に工夫を凝らした。
つまり、従来の図８の縫着箇所４２のように肩から脇下そして腰付近までを完全に縫着するのではなく、一部縫着しないで、一方その非縫着部分を他の手段で離着自在としたものである。
離着自在にする手段は、面ファスナー３・３１で仮止できるようにして、着脱の際に開口部（身体入出口）を広く開けることができるようにしたことを主要な特徴とする。
【００１０】
さらに、面ファスナー３・３１の形状を工夫することで、着用者の体型に合うように調整できるようにしたことを特徴とする。
又、インナーパネル４０に立襟６１を備えた首通し孔６を設けてさらに正面側の鎖骨付近まで（バックパネルの場合）或いは背面側の背骨付近まで（フロントパネルの場合）連続して首回りパネル４４を延設している
インナーパネル４０自体が開口部の調整機能と浸水防止機能を備えるものである。
【００１１】
具体的には、身体全体を出し入れするために開口部５を上端に有するウエットスーツ１において、前記開口部５はウエットスーツ１の上方襟縁とウエットスーツ１の内側に設けたバックパネル又はフロントパネルのインナーパネル４０とで形成され、前記インナーパネル４０は前記開口部５の下側から襟元部まで内側に略逆三角形の形状で柔軟な伸縮性生地であって首通し孔６を設けてさらに正面側の鎖骨付近まで或いは背面側の背骨付近まで連続して首回りパネル４４を延設したことを特徴とする。
従来のようにインナーパネル４０の水平な上縁の密着だけではなく、首回りで防水するので、防水機能は随分確実になる。
【００１２】
ウエットスーツ１本体は、前側（前開きファスナータイプ）に或いは背中側（背中開きファスナータイプ）に首部から腰部まで開閉自在のスライドファスナー７を縫着し、ウエットスーツ１本体のこの開閉部分を閉塞するように内側に設けられたバックパネル又はフロントパネルであるインナーパネル４０は、腰部から脇下付近まで縫着していて、脇下付近から肩まではウエットスーツ１の内面とインナーパネルの両側端のそれぞれに離着手段＝面ファスナー３・３１を設けて仮止されており、身体全体を出し入れする際には、脇下部に仮止された面ファスナー３の脱着により開口部５の大きさが調整可能であることを特徴とする。
【００１３】
離着手段は、ベルベットファスナーやベルクロと称される面ファスナー３・３１に限定されるものではなく、微細な吸盤を多数個設けたグリップ力のある面ファスナー３・３１でもよい。
さらに、前記面ファスナー３・３１の全体形状は、横方向及び縦方向にある程度の面積を有し、例えば上部を略半円とし下部を略長方形とするなどのある程度の面積を有し、上下方向と左右方向の両方向に接合位置を変更できる幅を有する形状であることを特徴とする。
即ち、離着位置を変更できる面積を有する面ファスナー３・３１を形成したので、開口部５の前後左右の開口寸法を必要最大まで或いは必要最小へと調整できる。
【考案の効果】
【００１４】
（１）ウエットスーツ本体内側のバックパネル等のインナーパネルの左右上方部、つまり肩から脇下付近までを面ファスナーで離着自在にすることで、面ファスナーを開放すれば開口部が自ずと下がった位置になるので着やすくなる。
（２）面ファスナーの接合位置が微調整できるので、例えば腰部が大きく肩幅が小さい場合は開口部を広くして着用後に肩幅に合わせて狭くして浸水を防ぐことができるし、例えば腰部も肩幅も小さいときは、開口部は面ファスナーで狭く設定しておけばよい。
体型の大小を問わず誰にでも合うように、調整自在の開口部とした効果はたいへん大きい。
（３）開口部の径の調整は、着用者が自分に合わせておくか、着用途中や着用後に面ファスナーを適宜位置で接着して止めるだけでよい。
（４）一般的には、着用の際は広めにしておき、ある程度身体を入れた段階で背中の当たり具合を感じながら、面ファスナーの位置を決めて接合し、浸水防止と運動性（サーフィンなどの動き易さなどの確認）の兼ね合いで調整する。
（５）インナーパネルに首回りパネルのある首通し孔を設けてあるので、一旦着用すると浸水防止できる。
【００１５】
インナーパネルは柔軟な伸縮性の生地で作成される。
インナーパネルが伸縮することにより、ウエットスーツの着脱が容易かつスムーズに行えることになる。
面ファスナー３・３１によってバックパネル等のインナーパネル４０の位置を決められ、締緩調整が可能であるから、より身体にフィットさせることができる。
首通し孔６を設けてさらに正面側の鎖骨付近まで或いは背面側の背骨付近まで連続して首回りパネル４４を延設しているので、浸水防止機能の向上にもなる。
【００１６】
技術的効果を要約すると、
開口部を低い位置にできかつ広狭の調節ができる。
そのためウエットスーツの着脱が容易に行える。
開口部が広狭変化するがインナーパネルとネックバンドで浸水防水できる。
装着時には装着者の体型にあうように調整をすることもできる。
という効果が顕著である。
【考案を実施するための最良の形態】
【００１７】
本考案に係るウエットスーツの最良の形態は、身体全体を出し入れするための開口部５をウエットスーツ１の上方襟縁とウエットスーツ１の内側に設けたインナーパネル４０とで形成し、前記インナーパネル４０は前記開口部５の下側から襟元部まで内側に略逆三角形の形状で伸縮性生地で作成され首通し孔６を設け、インナーパネル４０は、腰部から脇下付近まで縫着していて、脇下付近から肩までは非縫着部分としてウエットスーツ１の内面とインナーパネルの両側端のそれぞれに面ファスナー３・３１を設けており、身体全体を入出する際には、脇下部に設けられた面ファスナー３・３１の脱着により開口の大きさが調整可能であるウエットスーツである。
【００１８】
インナーパネル４０は立襟６１のある首通し孔６を備え、さらに正面側の鎖骨付近まで或いは背面側の背骨付近まで首回りパネル４４を延設している。
そしてウエットスーツ１の首回りにはネックバンド１１を設けてインナーパネル４０の立襟６１とともに二重に首回りを防水している。
【実施例１】
【００１９】
次に、本考案に係るウエットスーツの一実施例を図面に基づいて説明する。
図１〜図７は本考案の実施例１である。前述のように図８は従来のウエットスーツを示している。
図１は、背中開きファスナータイプのウエットスーツ１の前面全体を示すものであり、インナーパネル４０は見えないように内部にあって、首回りはネックバンド１１で首を締めた状態になっている。
【００２０】
図２は、インナーパネル４０であるバックパネル４の位置を示す透視であり、ウエットスーツ１の正面側から透視した正面図である。
バックパネル４は、上縁４１と側部上部を非縫着部分としたもので、両側の下方部分以下を縫着しており、肩下から脇下付近に該当する非縫着部分には、離着手段として面ファスナー３・３１を設けている。
図３はその背中側の開襟状態を示す一部正面図である。図４はバックパネル４の正面図で面ファスナー３・３１の形成位置を示し、図５は面ファスナー３・３１の形状を示している。
図６は、インナーパネル４０の位置を説明する一部切開側面図である。
本考案のウエットスーツは、図６の右図のように、開口部５を拡げて足から身体を通して着用する。
図７は、インナーパネル４０（バックパネル４）を斜め上方から見た図であり、上の図が前側、下の図が後側である。
【００２１】
尚、前開きファスナータイプのウエットスーツは図示していないが、インナーパネル４０ほかの各部位が背中側開きファスナータイプのウエットスーツ１と対称関係になるので構成的には同一乃至は均等になる。
【００２２】
実施例１は、身体全体を出し入れするために開口部５を上端に有するウエットスーツ１において、前記開口部５はウエットスーツ１の上方襟縁とウエットスーツ１の内側に設けたバックパネル４であるインナーパネル４０とで形成され、前記バックパネル４は柔軟な伸縮性生地であって首通し孔６を設けたものである。
背中側に首部から腰部まで開閉自在のスライドファスナー７を縫着し、前記開口部５の下側から襟元部まで略逆三角形のバックパネル４を設け、そのバックパネル４は立襟６１を備えた首通し孔６を設けてさらに正面側の鎖骨付近まで首回りパネル４４を延設している。
【００２３】
前記ウエットスーツ１本体の内側に設けられたバックパネル４は、その両側端を腰部から脇下付近までウエットスーツ１と縫着或いは接合した縫着部４５とし、脇下付近から肩までは非縫着部分でありウエットスーツの内面とバックパネル４のそれぞれに面ファスナー３・３１を設けて脱着自在にしている。
身体全体を出し入れする際には、脇下部に仮止された面ファスナー３・３１の脱着や位置の移動により開口の大きさが調整可能である。
【００２４】
図８で示す通り従来のウエットスーツに用いられるバックパネル４は、図４の腰部からＡ点線で示す付近、つまり両側ほぼ全部をウエットスーツ本体に接着または縫着していた。
それに対し本考案のバックパネルは下方からＢ点線で示す付近、つまり脇下付近までしか接着または縫着していない。
図中ＡーＢ間は非縫着部分であり、これにより、従来よりＡ点乃至Ｂ点の高さ分だけ襟口の開口の位置を低く調整することが可能であり、面ファスナー３・３１の横方向の幅分を広く開口して保つことが可能になり、身体の出し入れに余裕ができ着脱がスムーズに行えることになる。
【００２５】
前記面ファスナー３・３１の形状は、上下方向と左右方向の両方向に接合位置を変更できる幅を有する形状である。
実施例１では、前記面ファスナー３・３１の形状は、上部を略半円とし下部を略長方形とした。
ウエットスーツ側の面ファスナー３１を横広の大きめ目のものにし、バックパネル４側の面ファスナー３を小さめのものにするとか相似形状にするとかは任意である。
前記の形状は、上部を略半円とし下部を略長方形とするなどのある程度の面積を有し、上下方向と左右方向の両方向に接合位置を変更できる幅を有する形状であることにポイントがある。
従ってウエットスーツ側を幅の広めの帯状面ファスナー３１にして、インナーパネル４０側を細い帯状にしてもよい。
即ち、離着位置を変更微調整できる面積を有する面ファスナー３・３１を形成することで、開口部５の前後左右の開口寸法を必要最大まで或いは必要最小へと調整できる。
【００２６】
図５で示す通り面ファスナー３・３１は、その形状は上部をおよそ半円とし下部をおよそ長方形とした一対である。
この実施例１ではウエットスーツ１側の面ファスナー３１はバックパネル側の面ファスナー３よりも１．２倍から１．５倍の大きさにしている。
これは一方の面ファスナー３をスリムにして小さい素材で、他の大きい面ファスナー３１の左右上下に接合位置をずらして、各種体型に対応させ調節を可能にする形状である。
また、上部をおよそ半円としたのは、背中にあたる感触に違和感がないようにしているためでもある。
【００２７】
面ファスナー３・３１にベルベットファスナーを用いたときは、雌ファスナーをウエットスーツ１側に付設したほうが肌触りに影響しないし、調節しやすい。
このように、面ファスナー３・３１による調節で、身体に完全にフィットする調節ができ、サーフィン等のスポーツ時に激しい動きをしてもフィットは損なわれず、浸水防止機能も向上できる。
【００２８】
防水の配慮を説明すると、インナーパネル４０は、一枚のネオプレンゴム生地であり、ウエットスーツ１の本体生地に比較して薄くかつ伸縮性は数倍のものを採用している。
着用の祭にウエットスーツ１の内部でしっかり体型にフィットし、水密になるように機能する。
【００２９】
首通し孔６の立襟６１は、外側にジャージ生地を張ってあり内側はネオプレンゴム面として、内側面にはジャージを張っていない。ネオプレンゴム面が首に密着して防水する。
そして、さらにウエットスーツ１にはネックバンド１１が設けられ、立襟６１を外側から巻いて被覆しているので、首付近の防水機能は十分である。
【産業上の利用可能性】
【００３０】
近年、マリンスポーツの多様化にともない、それらを楽しむ人の人口が増加している。そのため、あらゆる年齢や体型に適合するウエットスーツや着やすいスーツの需要は高まっている。本考案のウエットスーツは、サーフィンやウインドサーフィン等のウエットスーツに関してその需要に応ずるものであるが、ドライスーツや、釣りようの防寒スーツなどネオプレンゴムを用いた各分野のスーツに利用することができる。
【図面の簡単な説明】
【００３１】
【図１】本考案に係るウエットスーツの一実施例で、背中開きファスナータイプのウエットスーツ１で、インナーパネル４０は内部にあって、首回りはネックバンド１１を締めた状態の全体外観を示す斜視図。
【図２】インナーパネル４０であるバックパネル４の位置を示すためのウエットスーツの前側から透視した正面図。
【図３】本考案のウエットスーツの背中側の開襟状態を示す一部正面図。
【図４】本考案のウエットスーツに使用するバックパネルの面ファスナー３の形成位置を示す正面図。図４では面ファスナー３の裏面が表れている。
【図５】本考案のバックパネルの面ファスナーの形状を詳細にする説明図。
【図６】インナーパネル４０の位置を説明する一部切開側面図。
【図７】インナーパネルを分離取り出した状態の前側斜めと背側斜めから見た斜視図であり、上の図が前側斜視図、下の図が背側斜視図。
【図８】従来のウエットスーツの一部背面図。
【符号の説明】
【００３２】
１    ウエットスーツ本体
１１  ネックバンド
２    ウエットスーツ生地
３    面ファスナー（インナーパネル側  離着手段）
３１  面ファスナー（ウエットスーツ側  離着手段）
４    バックパネル（又はフロントパネル）
４０  インナーパネル（本考案ではバックパネルとフロントパネル）
４１  インナーパネル上縁
４２  従来の略Ｖ字形の縫着箇所
４５  本考案のインナーパネルの縫着箇所
５    開口部（身体入出部）
６    首通し孔（インナーパネル上部）
６１  立襟
７    スライドファスナー
【図１】
0003123698.tif 000003
【図２】
0003123698.tif 000004
【図３】
0003123698.tif 000005
【図４】
0003123698.tif 000006
【図５】
0003123698.tif 000007
【図６】
0003123698.tif 000008
【図７】
0003123698.tif 000009
【図８】
0003123698.tif 000010
【手続補正書】
【提出日】平成18年5月22日(2006.5.22)
【手続補正１】
【補正対象書類名】実用新案登録請求の範囲
【補正対象項目名】全文
【補正方法】変更
【補正の内容】
【実用新案登録請求の範囲】
【請求項１】
身体全体を出し入れするために開口部５を上端に有するウエットスーツ１において、前記開口部５はウエットスーツ１の上方襟縁とウエットスーツ１の内側に設けたバックパネル４又はフロントパネルのインナーパネル４０とで形成され、前記インナーパネル４０は柔軟な伸縮性生地であって首通し孔６を設けたことを特徴とするウエットスーツ。
【請求項２】
身体全体を出し入れするために開口部５を上端に有するウエットスーツ１において、前側又は背中側に首部から腰部まで開閉自在のファスナー７を縫着し、前記開口部５はウエットスーツ１の上方襟縁とインナーパネル４０とで形成され、前記開口部５の下側から襟元部まで内側に略逆三角形のインナーパネル４０を設けそのインナーパネル４０は立襟６１を備えた首通し孔６を設けてさらに正面側の鎖骨付近まで或いは背面側の背骨付近まで連続して首回りパネル４４を延設していることを特徴とするウエットスーツ。
【請求項３】
ウエットスーツ１本体の内側に設けられたインナーパネル４０は、その両側端を腰部から脇下付近までウエットスーツ１と縫着或いは接合した縫着部４５とし、脇下付近から肩までは非縫着部としてウエットスーツの内面とインナーパネル４０のそれぞれに離着手段を設けて、身体全体を出し入れする際には、前記離着手段の脱着により開口の大きさが調整可能であることを特徴とするウエットスーツ。
【請求項４】
前記インナーパネル４０の脇下付近から肩までの離着手段は、ウエットスーツの内面とインナーパネル４０のそれぞれに面ファスナー３・３１を設けたものであることを特徴とする請求項１〜請求項３のいずれかに記載のウエットスーツ。
【請求項５】
前記面ファスナー３・３１の形状は、上下方向と左右方向の両方向に接合位置を変更できる幅を有する形状であることを特徴とする請求項１〜請求項４のいずれかに記載のウエットスーツ。
【請求項６】
前記面ファスナー３・３１の形状は、上部を略半円とし下部を略長方形としたことを特徴とする請求項１〜請求項５のいずれかに記載のウエットスーツ。